(57)【要約】【課題】煙が廊下等の上部に充満しても非常口の所在を認識でき、停電しても発光し、かつ、安価に設置できる誘導灯を提供する。【解決手段】非常口の近傍下部に取り付けられる本体部１と、その位置から離れて取り付けられるセンサー部２とから成り、本体部１には、発光モジュール１１、制御部１２及び受信側無線ユニット１３が備えられ、センサー部２には、炎センサー２１、振動センサー２２、制御部２３及び送信側無線ユニット２４を備える。センサー部２に緊急信号が入力されると、送信側無線ユニット２４から無線で緊急信号が発信され、本体部１の受信側無線ユニット１３が緊急信号を受信すると、発光モジュール１１が発光するものとする。【選択図】図１
2016045687.tif 000002
【特許請求の範囲】
【請求項１】
非常口の近傍下部に取り付けられる本体部(1)と、その位置から離れて取り付けられるセンサー部(2)とから成り、前記本体部(1)には、発光モジュール(11)、制御部(12)及び受信側無線ユニット(13)が備えられ、前記センサー部(2)には、炎センサー(21)、振動センサー(22)、制御部(23)及び送信側無線ユニット(24)が備えられ、
前記センサー部(2)では、炎センサー(21)及び振動センサー(22)の少なくともいずれかから制御部(23)に緊急信号が入力されると、制御部(23)から送信側無線ユニット(24)に緊急信号が入力されて、送信側無線ユニット(24)から無線で緊急信号が発信され、
前記本体部(1)では、受信側無線ユニット(13)が緊急信号を受信すると、制御部(12)へ緊急信号が入力されて、制御部(12)から緊急信号が発光モジュール(11)へ入力され、発光モジュール(11)が発光する非常口への誘導灯。
【発明の詳細な説明】
【技術分野】
【０００１】
この発明は、火災や地震による緊急事態発生時に避難者を非常口へ誘導する誘導灯に関するものである。
【背景技術】
【０００２】
オフィスビル、商業ビル等においては、火災や地震による緊急事態が発生した場合、迅速かつ安全に避難できるようにするため、非常口となるドアの上方の壁面に誘導灯が設置されている。この誘導灯は、避難口誘導灯と呼ばれ、緑色と白色でピクトグラムが描かれた表示板を後面から透過照明して、暗所でも見えるようにしたものである。
【０００３】
ところが、火災が発生すると、煙が廊下等の空間の上部に充満し、避難口誘導灯が見えなくなる恐れがあり、そのような場合、避難者が外部への脱出経路を見失い、危険な状況に陥ることもある。
【０００４】
その対策として、下記特許文献１には、発光ダイオード（ＬＥＤ）等から成り表示内容が可変な通路誘導灯を、床面或いは階段の踏板、蹴込に設置し、この表示内容を状況に応じて変化させ、避難者を非常口へ誘導するシステムが提案されている。
【先行技術文献】
【特許文献】
【０００５】
【特許文献１】特開２００６−２１５７０３号公報
【発明の概要】
【発明が解決しようとする課題】
【０００６】
しかしながら、上記特許文献１に記載されたような通路誘導灯は、非常口の所在自体を示すものではなく、また、設置工事に多大な費用を要するという問題があるほか、火災や地震により停電すると、システムが機能しなくなる恐れがある。
【０００７】
そこで、この発明は、煙が廊下等の上部に充満しても非常口の所在を認識でき、停電しても発光し、かつ、安価に設置できる誘導灯を提供することを課題とする。
【課題を解決するための手段】
【０００８】
上記課題を解決するため、この発明は、非常口の近傍下部に取り付けられる本体部と、その位置から離れて取り付けられるセンサー部とから成り、前記本体部には、発光モジュール、制御部及び受信側無線ユニットが備えられ、前記センサー部には、炎センサー、振動センサー、制御部及び送信側無線ユニットが備えられ、前記センサー部では、炎センサー及び振動センサーの少なくともいずれかから制御部に緊急信号が入力されると、制御部から送信側無線ユニットに緊急信号が入力されて、送信側無線ユニットから無線で緊急信号が発信され、前記本体部では、受信側無線ユニットが緊急信号を受信すると、制御部へ緊急信号が入力されて、制御部から緊急信号が発光モジュールへ入力され、発光モジュールが発光する非常口への誘導灯を提供することとしたのである。
【発明の効果】
【０００９】
この発明に係る非常口への誘導灯では、本体部を非常口の近傍下部に取り付けると、火災による煙が廊下等の上部に充満しても、低い姿勢で移動する避難者が発光モジュールの光を見つけることができ、非常口の所在を認識することができるので、避難者は迅速に外部へ脱出することができる。
【００１０】
また、炎センサー及び振動センサーを備えたセンサー部を、本体部とは分離して、天井付近等の適切な位置に取り付けることができるので、火災や地震の発生を敏感に検出することができる。
【００１１】
また、本体部に電池を内蔵し、この電池から発光モジュールへ電力が供給されるようにすると、地震等の発生により停電しても発光が持続し、本体部は、配線工事を要することなく、既存のドアに簡単に取り付けることができる。
【図面の簡単な説明】
【００１２】
【図１】この発明に係る非常口への誘導灯の設置状態を示す非常口周辺の斜視図
【図２】同上の誘導灯の本体部を示す斜視図
【図３】同上のセンサー部を示す斜視図
【図４】同上の本体部及びセンサー部のブロック図
【図５】同上の設置状態における火災発生時の避難状況を示す斜視図
【発明を実施するための形態】
【００１３】
以下、この発明の実施形態を添付図面に基づいて説明する。
【００１４】
図１に示すように、この誘導灯は、非常口のドア３１に取り付けられる本体部１と、廊下等の壁面の天井付近に取り付けられるセンサー部２とから構成される。ドア３１は、対震丁番３２によりドア枠３３に取り付けられ、ドア３１の上方の壁面には、消防法施行規則により定められた避難口誘導灯３４が設置されている。
【００１５】
図２及び図４に示すように、本体部１には、発光モジュール１１、制御部１２、受信側無線ユニット１３が備えられると共に、交換可能な電池１４が内蔵されている。また、電池残量インジケーター１５が設けられている。
【００１６】
発光モジュール１１は、白色ＬＥＤが横方向に多数配列されたものであり、発光面が本体部１の前面へ向けられて、発光時には、本体部１の前方からかなり離れた位置においても視認できる明るさを発揮するものとされている。
【００１７】
電池残量インジケーター１５は、電池１４が消耗して電圧が規定値より低下した場合、本体部１の前面に見える赤色のＬＥＤが点滅して、保守担当者に知らせ、電池１４の交換を促すようにしたものである。
【００１８】
図３及び図４に示すように、センサー部２には、炎センサー２１、振動センサー２２、制御部２３、送信側無線ユニット２４及び電源部２５が備えられ、電源部２５には、外部の交流電源からＡＣアダプター２６を介して電力が供給される。制御部２３には、外部センサー２７として別体の煙センサーが接続されている。
【００１９】
この誘導灯では、図１に示すように、本体部１をドア３１の下部に取り付け、センサー部２を廊下等の壁面の天井付近に取り付けた状態において、火災や地震が発生し、センサー部２の炎センサー２１、振動センサー２２及び制御部２３に接続された外部センサー２７の少なくともいずれかが火炎や煙、地震の震動を検知した場合、図４に示すように、制御部２３に緊急信号が入力され、制御部２３から送信側無線ユニット２４に緊急信号が入力されて、送信側無線ユニット２４から無線で緊急信号が発信される。
【００２０】
そして、本体部１の受信側無線ユニット１３が緊急信号を受信すると、制御部１２へ緊急信号が入力されて、制御部１２から緊急信号が発光モジュール１１へ入力され、発光モジュール１１が電池１４から供給される電力により発光する。この際、発光モジュール１１を、連続点灯ではなく点滅させて、避難者の注意を惹き付けるようにする。
【００２１】
なお、発光モジュール１１の機能する時間は、電池１４の容量を適宜設定することにより、少なくとも３時間程度確保し、可能であれば１日程度確保する。
【００２２】
上記のような誘導灯では、図５に示すように、発光モジュール１１を備えた本体部１をドア３１の下部に取り付けるので、火災による煙が廊下等の上部に充満しても、煙を避けて這うように低い姿勢で移動する避難者が発光モジュール１１の光を見つけることができ、非常口の所在を認識することができる。
【００２３】
また、炎センサー２１及び振動センサー２２を備えたセンサー部２を、本体部１とは分離して天井付近に取り付けるので、火災や地震の発生を敏感に検出することができ、センサー部２の制御部２３に、外部センサー２７として煙センサーを接続しているので、炎センサー２１が火炎を検出する前に煙が充満し始めた場合における検出能力が向上する。
【００２４】
また、本体部１は、内蔵された電池１４により機能し、発光モジュール１１が発光するので、地震等の発生により停電しても発光が持続する。
【００２５】
さらに、本体部１は、配線工事を要することなく、既存のドア３１に簡単に取り付けることができるので、設置に多大な費用がかかることもない。
【００２６】
なお、本体部１のドア３１への取り付けは、両面テープや磁石で行うと、ドア３１に穿孔する必要がないので、ドア３１の耐火性を損なうことはないが、ドア３１が穿孔しても耐火性能が維持されるものであれば、ビス止めにより固定してもよい。
【００２７】
また、本体部１に内蔵する電池１４は、乾電池等の一次電池のほか、充電式の二次電池としてもよい。さらに、停電していない時には、外部から供給される電力により、発光モジュール１１が発光するようにしてもよい。
【００２８】
また、上記実施形態では、外部センサー２７として、煙センサーが接続されたものを例示したが、外部センサー２７としては、センサー部２から離れた位置に配置された炎センサーや振動センサーを接続してもよい。
【００２９】
そのほか、上記実施形態では、本体部１をドア３１に取り付ける場合について例示したが、本体部１は、ドア３１自体ではなく、非常口の側方壁面等の下部に取り付けるようにしてもよい。また、センサー部２を天井付近に取り付ける場合について例示したが、センサー部２は、建築物の状況に応じて、床付近に取り付ける場合もある。
【符号の説明】
【００３０】
１  本体部
２  センサー部
１１  発光モジュール
１２  制御部
１３  受信側無線ユニット
１４  電池
１５  電池残量インジケーター
２１  炎センサー
２２  振動センサー
２３  制御部
２４  送信側無線ユニット
２５  電源部
２６  ＡＣアダプター
２７  外部センサー
３１  ドア
３２  対震丁番
３３  ドア枠
３４  避難口誘導灯
【図１】
2016045687.tif 000003
【図２】
2016045687.tif 000004
【図３】
2016045687.tif 000005
【図４】
2016045687.tif 000006
【図５】
2016045687.tif 000007